【事件の表示】
　特許第２７４５１２０号「樋支持具」の請求項１ないし４に係る特許に対する特許異議の申立てについて、次のとおり決定する。
【結論】
　訂正を認める。
　特許第２７４５１２０号の請求項１ないし３に係る特許を維持する。
【理由】
〔Ｉ〕手続きの経緯
　本件特許第２７４５１２０号発明は、平成９年５月８日に特許出願され、平成１０年２月１３日に特許権の設定の登録がなされた後、株式会社オーティスより特許異議の申立てがなされ、次いで取消理由通知がなされ、その指定期間内に平成１１年７月１６日付けで訂正請求がなされたものである。
〔ＩＩ〕訂正請求について
１．訂正請求の趣旨及び訂正の内容
　訂正請求の趣旨は、特許第２７４５１２０号の明細書及び図面を訂正請求書に添付した訂正明細書及び訂正図面のとおり訂正することを求めるものである。
　そして、その訂正の内容は、以下のとおりである。
▲１▼訂正事項ａ
　特許請求の範囲の請求項１中の「樋支持具本体（１）を取付杆（１２）にスライド自在に取付けるべく、」を、「樋支持具本体（１）の上面を取付杆（１２）の下面に対しスライド自在に取付けるべく、」と訂正する。
　訂正事項ａ−１
　明細書段落【０００６】の「樋支持具本体１を取付杆１２にスライド自在に取付けるべく、」を、「樋支持具本体１の上面を取付杆１２の下面に対しスライド自在に取付けるべく、」と訂正する。
▲２▼訂正事項ｂ
　特許請求の範囲の請求項１中の「しかも前記レバー（１８）の回動操作により連結体（１４）が引上げられてストッパー（２７）の突起（２９）が前記凹凸部（１０）の凹部（１０ｂ）に嵌合し得るように構成されてなる」を、「しかも前記レバー（１８）の一方側への回動操作により連結体（１４）が引上げられてストッパー（２７）の突起（２９）が前記凹凸部（１０）の凹部（１０ｂ）に嵌合して前記樋支持貝本体（１）が取付杆（１２）に固定され且つ前記レバー（１８）の他方側への回動操作により前記ストッパー（２７）が前記樋支持具本体（１）から離反して該樋支持具本体（１）が取付杆（１２）に対してスライドし得るように構成されてなる」と訂正する。
　訂正事項ｂ−１
　明細書段落【０００６】の「しかも前記レバー１８の回動操作により連結体１４が引上げられてストッパー２７の突起２９が前記凹凸部１０の凹部１０ｂに嵌合し得るように構成されてなる」を、「しかも前記レバー１８の一方側への回動操作により連結体１４が引上げられてストッパー２７の突起２９が前記凹凸部１０の凹部１０ｂに嵌合して前記樋支持具本体（１）が取付杆（１２）に固定され且つ前記レバー（１８）の他方側への回動操作により前記ストッパー（２７）が前記樋支持具本体（１）から離反して該樋支持具本体（１）が取付杆（１２）に対してスライドし得るように構成されてなる」と訂正する。
▲３▼訂正事項ｃ
　特許請求の範囲の請求項２中の「前記ストッパー（２７）と連結体（１４）の他端部に設けられた頭部（１６）間に弾性体（３０）が介装されてなる」を、「前記ストッパー（２７）と連結体（１４）の他端部に設けられた頭部（１６）間に弾性体（３０）が介装され、前記凹凸部（１０）は、前記樋支持具本体（１）の長孔（９）の両側縁から下方に延在した垂下片（１１）に形成されてなる」と訂正する。
▲４▼訂正事項ｄ
　特許請求の範囲の請求項３中の「前記レバー（１８）の回動操作により」を、「連結体（１４）の一端部側には、側面に開設される基端部（１７ａ）と該基端部（１７ａ）に連設される下向きの垂下部（１７ｂ）とからなる長孔（１７）が形成されており、該長孔（１７）の基端部（１７ａ）から挿入され垂下部（１７ｂ）に水平にセットされる支軸（２６）を介してレバー（１８）が連結体（１４）に対して着脱自在に設けられ、且つ、前記レバー（１８）の回動操作により」と訂正する。
▲５▼訂正事項ｅ
　特許請求の範囲の請求項４を削除する。
　訂正事項ｅ−１
　明細書段落【００２５】を、「尚、上記実施形態に於いては、樋支持具本体１の垂下片１１に凹凸部１０を形成したが、例えば樋支持貝本体１の下面に直接凹凸部１０を形成することも可能である。」と訂正すると共に、図面中、【図６】を削除する。さらに、図面中、従来技術を示す【図７】を【図６】と訂正すると共に、明細書段落【０００２】の「図７」を「図６」と訂正し、明細書の【図面の簡単な説明】の項中の「【図６】他の実施形態を示す樋支持具の一部断面を含む要部正面図。
　【図７】従来例を示す樋支持具の正面図。」を、「【図６】従来例を示す樋支持具の正面図。」と訂正する。
２．訂正の適否
（１）訂正の目的の適否、新規事項の有無、及び拡張・変更の存否について
　▲１▼訂正事項ａについて
　この訂正は、樋支持具本体（１）と取付杆（１２）との関係を明りょうにするものであるから、明りょうでない記載の釈明を目的とするものである。
　そして、この訂正は、明細書の特許請求の範囲の請求項１の「樋支持具本体（１）の下面に多数の凹凸部（１０）が長手方向に形成され、且つ前記連結体（１４）の他端部側に設けられたストッパー（２７）が突起（２９）を有して樋支持具本体（１）の下方に配されてなり、」との記載及び図５の記載に基づくものであって、願書に添付した明細書又は図面に記載した事項の範囲内のものであり、しかも実質上特許請求の範囲を拡張し又は変更するものではない。
　▲２▼訂正事項ｂについて
　この訂正は、レバー（１８）の回動方向と、ストッパー（２７）、樋支持具本体（１）及び取付杆（１２）の関係を限定するものであるから、特許請求の範囲の減縮を目的とするものである。
　そして、この訂正は、明細書の段落【００１８】〜【００２１】の記載並びに図１及び図５の記載に基づくものであって、願書に添付した明細書又は図面に記載した事項の範囲内のものでありしかも実質上特許請求の範囲を拡張し又は変更するものではない。
　▲３▼訂正事項ｃについて
　この訂正は、樋支持具本体（１）の下面に形成された凹凸部（１０）を、樋支持具本体（１）の長孔（９）の両側縁から下方に延在した垂下片（１１）に形成されてなるものに限定するものであるから、特許請求の範囲の減縮を目的とするものである。
　そして、この訂正は、明細書の段落【００１２】の記載に基づくものであって、願書に添付した明細書に記載した事項の範囲内のものであり、しかも実質上特許請求の範囲を拡張し又は変更するものではない。
　▲４▼訂正事項ｄについて
　この訂正は、連結体（１４）へのレバー（１８）の取り付け構造を限定しようとするものであるから、特許請求の範囲の減縮を目的とするものである。
　そして、この訂正は、明細書の段落【００１５】及び段落【００１７】の記載並びに図２及び図３の記載に基づくものであって、願書に添付した明細書及び図面に記載した事項の範囲内のものであり、しかも実質上特許請求の範囲を拡張又は変更するものではない。
　▲５▼訂正事項ｅについて
　この訂正は、特許請求の範囲の減縮を目的とするものであり、願書に添付した明細書又は図面に記載した事項の範囲内のものであって、しかも実質上特許請求の範囲を拡張し又は変更するものではない。
　▲６▼訂正事項ａ−１、ｂ−１について
　これらの訂正は、特許請求の範囲の訂正に伴い、特許請求の範囲の記載と発明の詳細な説明の記載との整合を図るために行う訂正であり、明りょうでない記載の釈明を目的とするものである。
　そして、これらの訂正は、願書に添付した明細書又は図面に記載した事項の範囲内のものであり、しかも実質上特許請求の範囲を拡張し又は変更するものではない。
　▲７▼訂正事項ｅ−１について
　この訂正は、請求項４を削除したことに伴い、図６を削徐し、発明の詳細な説明における関連する記載を削除又は訂正するものであるから、明りょうでない記載の釈明を目的とするものである。
　そして、この訂正は、願書に添付した明細書又は図面に記載した事項の範囲内のものであり、しかも実質上特許請求の範囲を拡張し又は変更するものではない。
（２）独立特許要件について
　▲１▼訂正明細書の請求項１〜３に係る発明
　訂正明細書の請求項１〜３に係る発明は、訂正明細書の特許請求の範囲の請求項１〜３に記載された次のとおりのものである。
「【請求項１】樋支持具本体（１）の上面を取付杆（１２）の下面に対しスライド自在に取付けるべく、樋支持具本体（１）の長孔（９）に挿通した連結体（１４）により両者が連結されてなる樋支持具に於いて、連結体（１４）の一端部側にレバー（１８）が回動自在に設けられると共に、樋支持具本体（１）の下面に多数の凹凸部（１０）が長手方向に形成され、且つ前記連結体（１４）の他端部側に設けられたストッパー（２７）が突起（２９）を有して樋支持具本体（１）の下方に配されてなり、しかも前記レバー（１８）の一方側への回動操作により連結体（１４）が引上げられてストッパー（２７）の突起（２９）が前記凹凸部（１０）の凹部（１０ｂ）に嵌合して前記樋支持具本体（１）が取付杆（１２）に固定され且つ前記レバー（１８）の他方側への回動操作により前記ストッパー（２７）が前記樋支持具本体（１）から離反して該樋支持具本体（１）が取付杆（１２）に対してスライドし得るように構成されてなることを特徴とする樋支持具。
　【請求項２】前記ストッパー（２７）と連結体（１４）の他端部に設けられた頭部（１６）間に弾性体（３０）が介装され、
前記凹凸部（１０）は、前記樋支持具本体（１）の長孔（９）の両側縁から下方に延在した垂下片（１１）に形成されてなる請求項１記載の樋支持具。
　【請求項３】連結体（１４）の一端部側には、側面に開設される基端部（１７ａ）と該基端部（１７ａ）に連設される下向きの垂下部（１７ｂ）とからなる長孔（１７）が形成されており、該長孔（１７）の基端部（１７ａ）から挿入され垂下部（１７ｂ）に水平にセットされる支軸（２６）を介してレバー（１８）が連結体（１４）に対して着脱自在に設けられ、且つ、前記レバー（１８）の回動操作により連結体（１４）を引上げてストッパー（２７）の突起（２９）を凹部（１０ｂ）に嵌合させるべく、レバー（１８）に取付杆（１２）と当接するカム部（２４）が設けられてなる請求項１又は２記載の樋支持具。
　▲２▼刊行物の記載事項
　当審で通知した取消理由において引用した刊行物１である、登録実用新案第３０３２４２１号公報（異議申立人が提出した甲第１号証）、刊行物２である、実願昭５８−１９３６５２号（実開昭６０−９９６３７号）のマイクロフィルム（同甲第２号証）、刊行物３である、実願昭５０−１６０７４５号（実開昭５２−７３３５６号）のマイクロフィルム（同甲第５号証）及び刊行物４である、実願昭５４−１１９０４５号（実開昭５６−３７７１０号）のマイクロフィルム（同甲第７号証）に記載されている事項は、以下のとおりである。
　刊行物１には、明細書の段落【００１３】、【００１６】及び図１〜図３の記載からみて、「樋吊具本体１の上面を取付具９の下面に対しスライド自在に取付けるべく、樋吊具本体１の長孔６に挿通したレバー支持体１５により両者が連結されてなる樋吊具に於いて、レバー支持体１５の一端部側にレバー１７が回転自在に設けられると共に、他端部側に座金（符号なし）が設けられ、レバー１７の一方側への回動操作によりレバー支持体１５が引上げられ樋吊具本体１が取付具９に固定され、且つレバー１７の他方側への回動操作により樋吊具本体１が取付具９に対してスライドし得る樋吊具」及び「レバー１７に取付具９と当接するカム部１７ａを設けること」が記載されているものと認める。
　刊行物２には、明細書３頁１９行〜５頁１８行の記載「第２図に例示した受金具１は・・・容易に行える利点がある。」並びに第２及び第３図の記載からみて、
「受金具本体２を支持杆３にスライド自在に取付けるべく、長孔に挿通したボルトとナットにより両者が連結されてなる雨どいの受金具に於いて、受金具本体２の上面に多数の凹凸面２２ａが長手方向に形成され、且つ支持杆３の下面に凹凸面３２ａが設けられ、ナットを締め付けることにより凹凸面２２の凹部に凹凸面３２ａの突起が嵌合し得るように構成され、受金具本体２の位置ずれを阻止した雨どいの受金具」が記載されているものと認める。
　刊行物３には、実用新案登録請求の範囲の記載及び第１〜第３図の記載からみて、
「締付けレバー１のカム面と、被接合物７，７’に挿通したねじ棒２のナット６により被接合物７’７’を締め付ける締付けねじにおいて、ナット６と被接合物との間にねじ用皿ばね５が介装された締付けねじ」が記載されているものと認める。
　刊行物４には、実用新案登録請求の範囲の記載、明細書２頁３〜７行の記載「本考案は・・・装置において」、同３頁５行〜６頁１行の記載「第１図には・・・れも起こらない。」及び第１図の記載からみて、
「スペーサ９のＶ字形の溝９ｂと地上子台１０のＶ字形の溝１２ｂを嵌合させ、締付具により地上子台１０をアーム１に強固に固定する、列車等の移動物体に情報を伝送する地上子を取り付けるための位置調整機構付取付具」が記載されているものと認める。
　また、異議申立人が提出した甲第３号証である、実開平３−２１２１号公報（以下、「刊行物５」という。）、同甲第４号証である、実願昭５７−８１０６７号（実開証５８−１８１８４７号）のマィクロフイルム（以下、「刊行物６」という。）、同甲第６号証である、実開昭４６−３１３８６号公報（以下、「刊行物７」という。）及び同甲第８号証である、実公昭５６−２０１５号公報（以下、「刊行物８」という。）に記載されている事項は、以下のとおりである。
　刊行物５には、
「（１）樋受金具の締結部となる２つの被締結部材をボルトナット等のねじで締結する機構であって、一端に頭部２を有する軸杆１の頭部首下から所定の距離を隔てた中間位置に締結用ナツト７と螺合しうるねじ部３を形成するとともに、・・・その先端部にかしめ部５としてなることを特徴とする樋受金具の締結機構。
（２）軸杆１の頭部首下に前記ねじ部３と連続するようにねじ部３’を設けてなる請求項１記載の樋受金具の締結機構。
（３）頭部２の座面に回わり止め用の歯６を設けてなる請求項１又は２記載の樋受け金具の締結機構。」（実用新案登録請求の範囲）と記載されている。
　刊行物６には、実用新案登録請求の範囲の記載、明細書３頁２０行〜４頁４行の記載「第１０図に示すものは・・・防止できるものである。」並びに第９図及び第１０図の記載によると、
「吊具本体（９）と固定金物（１３）の取付部片（１４）との相接触する面に細かい凹凸（２５）を施し、ナットとボルトを締め付けたときに吊具本体（９）がずり落ちるのを防止した軒樋の吊下金具」が記載されているものと認める。
　刊行物７には、
「本文に詳記し図面に明示した如く、本体１の上面に固定挾持部２，移動挾持部３を設置し、細長溝４を穿設し、本体下面に細長溝４に沿わせて歯型板５，５’を取付け、移動挾持部３に透孔部６を穿設し、透孔部６内に上端部にハンドル８を有する摺動締付杆７の偏心軸部９を嵌挿し、偏心軸部９の下端を本体１の細長溝４内および細長溝４に沿わせて取付けた歯型板５，５’間に前後に摺動自在に挿通せしむると共に最下端部に歯型板５，５’に噛合う歯型板１０を着脱自在に螺合させた早締めバイス。」（実用新案登録請求の範囲）が記載されている。
　刊行物８には、２欄４〜１０行の記載「本考案に係るピン受具は、・・・取付鈑６としたものである。」、同欄３０〜３１行の記載「座金１３は取付金具１の細長孔３周縁に圧接し、」並びに第１図及び第３図の記載からみて、
「取付金具１の上面鈑２に穿った細長孔３の周縁に滑り止めのきざみ目４を設け、偏心ボルト７に挿通した座金１３をみざみ目に圧接させるピン受具」が記載されているものと認める。
　▲３▼対比・判断
《訂正明細書の請求項１に係る発明について》
　訂正明細書の請求項１に係る発明と刊行物１に記載された発明とを対比すると、刊行物１に記載された発明の「樋吊具本体」、「取付具」、「レバー支持体」及び「樋吊具」は、それぞれ訂正明細書の請求項１に係る発明の「樋支持具本体」、「取付杆」、「連結体」及び「樋支持具」に相当するから、両者は、
「樋支持具本体の上面を取付杆の下面に対しスライド自在に取付けるべく、樋支持具本体の長孔に挿通した連結体により両者が連結されてなる樋支持具に於いて、連結体の一端部側にレバーが回動自在に設けられ、レバーの一方側への回動操作により連結体が引上げられて樋支持具本体が取付杆に固定され且つ前記レバーの他方側への回動操作により該樋支持具本体が取付杆に対してスライドし得るように構成されてなることを特徴とする樋支持具。」
である点で一致し、次の点で相違する。
　本件請求項１に係る発明は、「樋支持具本体の下面に多数の凹凸部が長手方向に形成され、且つ前記連結体の他端部側に設けられたストッパーが突起を有して樋支持具本体の下方に配されてなり」（以下、「構成Ａ」という。）、「しかも前記レバーの一方側への回動操作により連結体が引上げられてストッパーの突起が前記凹凸部の凹部に嵌合して前記樋支持具本体が取付杆に固定され且つ前記レバーの他方側への回動操作により前記ストッパーが前記樋支持具本体から離反して該樋支持具本体が取付拝に対してスライドし得るように構成されてなる」（以下、「構成Ｂ」という。）のに対し、刊行物１に記載された発明は、そのような構成Ａ及び構成Ｂを備えていない点。
　上記相違点について刊行物２〜８に記載された事項を検討する。
　刊行物２には、受金具本体２（訂正明細書の請求項１に係る発明の「樋支持具本体」に対応する。以下、括弧内は、対応する部分を示す。）を支持杆３（取付杆）にスライド自在に取付けるべく、長孔に挿通したボルトとナットにより両者が連結されてなる雨どいの受金具（樋支持具）において、受金具本体２（樋支持具本体）の上面に多数の凹凸面２２ａを長手方向に形成し、且つ支持杆３（取付杆）の下面に凹凸面３２ａを設け、ナットを締め付けることにより凹凸面２２の凹部に凹凸面３２ａの突起が嵌合し、受金具本体２（樋支持具本体）の位置ずれを阻止することは記載されているが、凹凸面２２と凹凸面３２ａの突起が、受金具本体２（樋支持具本体）と支持拝３（取付杵）との相対する面に設けられており、訂正明細書の請求項１に係る発明とは、凹凸面と突起を設ける位置が異なっている。また刊行物６にも、軒樋の吊下金具（樋支持具）において、吊具本体（樋支持具本体）と固定金物（取付杆）との相接触する面に細かい凹凸を施し、ナットとボルトを締め付けたときに吊具本体（樋支持具本体）がずり落ちるのを防止することが記載されているが、刊行物２に記載されたものと同様に、凹凸を施す位置が訂正明細書の請求項１に係る発明とは異なっており、刊行物２及び６には訂正明細書の請求項１に係る発明の構成Ａ、さらに構成Ｂが記載されていないし、示唆もされていない。
　刊行物３には、締付けレバー１のカム面と、被接合物７，７’に挿通したねじ棒２のナット６により被接合物７，７’を締め付ける締付けねじにおいて、ナット６と被接合物との間にねじ用皿ばね５が介装された締付けねじが記載されているのみで、訂正明細書の請求項１に係る発明の構成Ａ及び構成Ｂについては何ら記載されていないし、示唆もされていない。
　刊行物４には、位置調整機構付取付具において、スペーサ９のＶ字形の溝９ｂ（突起）と地上子台１０のＶ字形の溝１２ｂ（凹凸部）を嵌合させ、締付具により地上子台１０をアーム１に強固に固定することが記載されているが、この位置調整機構付取付具は、列車等の移動物体に情報を伝送する地上子を取り付けるためのものであり、訂正明細書の請求項１に係る発明とは、技術分野が異なり、刊行物４には、訂正明細書の請求項１に係る発明の構成Ａ、さらに構成Ｂが記載されていないし、示唆もされていない。
　刊行物５には、樋受金具の締結部となる２つの被締結部材をボルトナット等のねじで締結する機構において、締結用ナツト７と螺合しうるねじ部３を形成した軸杆１の頭部２の座面に回わり止め用の歯６を設けることが記載されているにすぎない。
　刊行物７には、早締めバイスにおいて、本体１に細長溝４を穿設し、本体下面に細長溝４に沿わせて歯型板５，５’を取付け、移動挾持部３に嵌挿した偏心軸部９を細長溝４の歯型板５，５’間に前後に摺動自在に挿通せしめ、偏心軸部９の最下端部に歯型板５，５’に噛合う歯型板１０を着脱自在に螺合させることが記載されているが、訂正明細書の請求項１に係る発明とは異なる技術分野に関するものであり、訂正明細書の請求項１に係る発明の構成Ａが記載されていないし、示唆もされていない
　刊行物８には、取付金具１の上面鈑２に穿った細長孔３の周縁に滑り止めのきざみ目４を設け、偏心ボルト７に挿通した座金１３をみざみ目に圧接させるピン受具、が記載されているにすぎず、訂正明細書の請求項１に係る発明の構成Ａが記載されていないし、示唆もされていない。
　以上のように、刊行物２〜８の何れにも訂正明細書の請求項１に係る発明の構成Ａ、さらに構成Ｂが記載されておらず、示唆もされていない。
　そして、訂正明細書の請求項１に係る発明は、構成Ａを備えることにより、「樋支持具本体を取付杆の所望位置に固定できるため、高所での一連の樋取付作業を効率的に且つ安全に行える」（訂正明細書の段落【００２９】）、「凹部にストッパーの突起が嵌合するために、単に取付杆と樋支持具本体との圧接のみにより該樋支持具本体を固定せしめるという従来の樋支持具に比して、確実且つ強固に樋支持具本体を固定できる」（同段落【００３０】）という格別の効果を奏するものと認められる。
　したがって、訂正明細書の請求項１に係る発明は、刊行物１〜８に記載された発明に基いて、当業者が容易に発明をすることができたものとすることはできない。
　よって、訂正明細書の請求項１に係る発明は、特許出願の際独立して特許を受けることができるものである。
《訂正明細書の請求項２及び３に係る発明について》
　訂正明細書の請求項２及び３に係る発明は、請求項１に記載された発明を引用し、さらに他の構成を加えたものであるから、訂正明細書の請求項２及び３に係る発明についても、刊行物１〜８に記載された発明に基いて、当業者が容易に発明をすることができたものとすることはできない。
　よって、訂正明細書の請求項２及び３に係る発明は、特許出願の際独立して特許を受けることができるものである。
（３）まとめ
　以上のとおりであるから、訂正事項ａ〜ｅの訂正は、特許法等の一部を改正する法律（平成６年法律１１６号）附則６条１項の規定によりなお従前の例によるとされる、特許法１２０条の４第２項ただし書１号又は３号に掲げる事項を目的とし、同条３項で準用する１２６条２〜４項の規定に適合するので、本件訂正請求を認める。
〔ＩＩＩ〕特許異議の申立てについて
１．特許異議の申立ての理由の概要
　異議申立人は、甲第１〜第８号証を提出して、請求項１〜４に係る発明は、甲第１〜第８号証に記載された発明に基いて当業者が容易に発明をすることができたものであるから、特許法２９条２項の規定により特許を受けることができないものであり、それらの特許は取り消されるべきである旨主張している。
２．本件請求項１〜３に係る発明
　本件請求項１〜３に係る発明は、訂正明細書の特許請求の範囲に記載されたとおりのものと認める。（〔ＩＩ〕２．（２）▲１▼参照。）
　なお、上記訂正により訂正前の請求項４は削除された。
３．特許異議の申立ての理由についての判断
　上記〔ＩＩ〕２．（２）で述べたように、本件請求項１に係る発明は、刊行物１（異議申立人が提出した甲第１号証）、刊行物２（同甲第２号証）、刊行物３（同甲第５号証、ただし甲第５号証は公開公報）、刊行物４（同甲第７号証、ただし甲第７号証は公開公報）、刊行物５（同甲第３号証。）、刊行物６（同甲第４号証）及び刊行物８（同甲第８号証）に記載された発明に基いて当業者が容易に発明をすることができたものとすることはできない。
　また、本件請求項２及び３に係る発明についても、刊行物１〜８に記載された発明に基いて当業者が容易に発明をすることができたものとすることはできない。
〔ＩＶ〕むすび
　以上のとおりであるから、異議申立人の主張する理由及び提出した証拠方法によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１１年１１月２９日（１９９９．１１．２９）
【訂正の要旨】
〔訂正の要旨〕
　特許第２７４５１２０号の明細書及び図面を、特許請求の範囲の減縮を目的として下記（ａ）、（ｂ）、（ｃ）、（ｄ）、（ｅ）のとおり、明りょうでない記載の釈明を目的として下記（ａ−１）、（ｂ−１）、（ｅ−１）のとおり訂正する。
　（ａ）特許請求の範囲の請求項１中の「樋支持具本体（１）を取付杆（１２）にスライド自在に取付けるべく、」を、「樋支持具本体（１）の上面を取付杆（１２）の下面に対しスライド自在に取付けるべく、」と訂正する。
　（ａ−１）明細書段落【０００６】の「樋支持具本体１を取付杆１２にスライド自在に取付けるべく、」を、「樋支持具本体１の上面を取付秤１２の下面に対しスライド自在に取付けるべく、」と訂正する。
　（ｂ）特許請求の範囲の請求項１中の「しかも前記レバー（１８）の回動操作により連結体（１４）が引上げられてストッパー（２７）の突起（２９）が前記凹凸部（１０）の凹部（１０ｂ）に嵌合し得るように構成されてなる」を、「しかも前記レバー（１８）の一方側への回動操作により連結体（１４）が引上げられてストッパー（２７）の突起（２９）が前記凹凸部（１０）の凹部（１０ｂ）に嵌合して前記樋支持貝本体（１）が取付杆（１２）に固定され且つ前記レバー（１８）の他方側への回動操作により前記ストッパー（２７）が前記樋支持具本体（１）から離反して該樋支持具本体（１）が取付杵（１２）に対してスライドし得るように構成されてなる」と訂正する。
　（ｂ−１）明細書段落【０００６】の「しかも前記レバー１８の回動操作により連結体１４が引上げられてストッパー２７の突起２９が前記凹凸部１０の凹部１０ｂに嵌合し得るように構成されてなる」を、「しかも前記レバー１８の一方側への回動操作により連結体１４が引上げられてストッパー２７の突起２９が前記凹凸部１０の凹部１０ｂに嵌合して前記樋支持具本体（１）が取付杆（１２）に固定され且つ前記レバー（１８）の他方側への回動操作により前記ストッパー（２７）が前記樋支持具本体（１）から離反して該樋支持具本体（１）が取付杆（１２）に対してスライドし得るように構成されてなる」と訂正する。
　（ｃ）特許請求の範囲の請求項２中の「前記ストッパー（２７）と連結体（１４）の他端部に設けられた頭部（１６）間に弾性体（３０）が介装されてなる」を、「前記ストッパー（２７）と連結体（１４）の他端部に設けられた頭部（１６）間に弾性体（３０）が介装され、前記凹凸部（１０）は、前記樋支持具本体（１）の長孔（９）の両側縁から下方に延在した垂下片（１１）に形成されてなる」と訂正する。
　（ｄ）特許請求の範囲の請求項３中の「前記レバー（１８）の回動操作により」を、「連結体（１４）の一端部側には、側面に開設される基端部（１７ａ）と該基端部（１７ａ）に連設される下向きの垂下部（１７ｂ）とからなる長孔（１７）が形成されており、該長孔（１７）の基端部（１７ａ）から挿入され垂下部（１７ｂ）に水平にセットされる支軸（２６）を介してレバー（１８）が連結体（１４）に対して着脱自在に設けられ、且つ、前記レバー（１８）の回動操作により」と訂正する。
　（ｅ）特許請求の範囲の請求項４を削除する。
　（ｅ−１）明細書段落【００２５】を、「尚、上記実施形態に於いては、樋支持具本体１の垂下片１１に凹凸部１０を形成したが、例えば樋支持貝本体１の下面に直接凹凸部１０を形成することも可能である。」と訂正すると共に、図面中、【図６】を削除する。さらに、図面中、従来技術を示す【図７】を【図６】と訂正すると共に、明細書段落【０００２】の「図７」を「図６」と訂正し、明細書の【図面の簡単な説明】の項中の「【図６】他の実施形態を示す樋支持具の一部断面を含む要部正面図。【図７】従来例を示す樋支持具の正面図。」を、「【図６】従来例を示す樋支持具の正面図。」と訂正する。
（５４）【発明の名称】
樋支持具
（５７）【特許請求の範囲】
　【請求項１】　樋支持具本体（１）
の上面
の下面に対し
一方側への
て前記樋支持具本体（１）が取付杆（１２）に固定され且つ前記レバー（１８）の他方側への回動操作により前記スットパー（２７）が前記樋支持具本体（１）から離反して該樋支持具本体（１）が取付杆（１２）に対してスライドし
　【請求項２】　前記ストッパー（２７）と連結体（１４）の他端部に設けられた頭部（１６）間に弾性体（３０）が介装され
、
　
前記凹凸部（１０）は、前記樋支持具本体（１）の長孔（９）の両側縁から下方に延在した垂下片（１１）に形成され
　【請求項３】　
連結体（１４）の一端部側には、側面に開設される基端部（１７ａ）と該基端部（１７ａ）に連結される下向きの垂下部（１７ｂ）とからなる長孔（１７）が形成されており、該長孔（１７）の基端部（１７ａ）から挿入され垂下部（１７ｂ）に水平にセットされる支軸（２６）を介してレバー（１８）が連結体（１４）に対して着脱自在に設けられ、且つ、
【発明の詳細な説明】
　　【０００１】
　【発明の属する技術分野】
　本発明は樋支持具、さらに詳しくは建造物等の軒先樋を支持するための樋支持具であって、軒うら等に固定される取付杆に樋受本体がスライド自在に設けられた樋支持具の改良に関する。
　　【０００２】
　【従来の技術】
　従来、この種樋支持具としては、例えば実登第３０３２４２１号公報所載の考案が存在する。
　　【０００３】
　即ち、この従来のものは図
６
　　【０００４】
　【発明が解決しようとする課題】
　しかしながら、上記従来のものは、単に受座３３による樋支持具本体１ａと取付杆１２ａとの圧接力のみをもって、この両部材の固定手段とするものであるため、例えば樋３６や樋支持具本体１ａに外力が加わった場合、樋支持具本体１ａが不用意に移動してしまうという問題点を有していたのである。
　　【０００５】
　それ故に、本発明は上記従来の問題点を解決するためになされたものであり、簡易なレバー操作により樋支持具本体を取付杆の所望位置に確実且つ強固に位置決め固定できるようにすることを課題とする。
　　【０００６】
　【課題を解決するための手段】
　即ち、上記課題を解決するために本発明が採った手段は、樋支持具本体１
の上面
の下面に対し
一方側への
て前記樋支持具本体（１）が取付杆（１２）に固定され且つ前記レバー（１８）の他方側への回動操作により前記ストッパー（２７）が前記樋支持具本体（１）から離反して該樋支持具本体（１）が取付杆（１２）に対してスライドし
　　【０００７】
　従って、上記発明特定事項からなる樋支持具に於いては、先ず樋支持具本体１を所望位置にスライドさせ、この状態でレバー１８を回動せしめると、連結体１４が引上げられて前記ストッパー２７の突起２９が樋支持具本体１の凹部１０ｂに嵌合することとなり、これにより樋支持具本体１を取付杆１２の所望位置に固定できる。
　　【０００８】
　一方、レバー１８の回動操作によりストッパー２７の突起２９と凹部１０ｂとの嵌合状態を解除することも可能であり、これにより樋支持具本体１をスライドさせてその位置調整を行うことができる。
　　【０００９】
　【発明の実施の形態】
　以下、本発明の一実施形態について図面に従って説明する。
　　【００１０】
　図１に於いて、１は両側縁に上向きの折曲側片２，２を対面形成した樋支持具本体を示し、その一端には支持すべき樋３の凹状部３ａに係入可能な係入片４が上向きに形成されると共に、他端には樋３の耳部３ｂに嵌合可能な耳保持部５が略コの字状に折曲形成されてなり、該耳保持部５の先端には斜め下向きの延設片６が設けられている。
　　【００１１】
　７は前記係入片４の折曲部に傾斜状に設けられたリブを示す。８は支持具本体１の他端側裏面に前記耳保持部５に対向して設けられたバネ板からなる弾性片であり、その先端は上向きに折曲されている。
　　【００１２】
　９は樋支持具本体１の中央に長手方向に沿って穿設された長孔で、その両側縁には下端に凸部１０ａと凹部１０ｂとからなる多数の凹凸部１０を有する垂下片１１が対向して折曲形成されている。
　　【００１３】
　１２は一端部に板状の取付部材１３が取付けられた帯状の取付杆を示す。１４は樋支持具本体１の長孔９と取付杆１２の他端部に穿設した孔１５に挿通された板状の連結体で、その一端部には図２のように幅広な頭部１６が形成され、且つ他端部には長孔１７が穿設されており、かかる長孔１７は連結体１４の側面に開設される基端部１７ａと、該基端部１７ａに連設される下向きの垂下部１７ｂとからなる。
　　【００１４】
　１８は図３の如く天面１９の側部に一対の対面する側片２０が垂下された二股状のレバーで、各側片２０には前方側よりに挿通孔２１が偏心して穿設されると共に、その前方下部外周縁には下端部側程後方に傾斜する平面状の傾斜面部２２と、該傾斜面部２２に延設された平面部２３とからなるカム部２４が設けられて、挿通孔２１の中心Ｏと平面部２３間の距離Ｌは、中心Ｏと傾斜面部２２間の距離Ｌ’よりも大なる寸法に形成されており、また上部には後方に延びる把持片２５が設けられている。
　　【００１５】
　２６はレバー１８の側片２０の挿通孔２１に挿着された支軸で、連結体１４の長孔１７の基端部１７ａから挿入してその垂下部１７ｂの先端に水平にセットされており、レバー１８は支軸２６を介して連結体１４に回動自在に取付けられてなる。
　　【００１６】
　２７は図４のように連結体１４が挿通される角孔２８を中央に穿設したストッパーで、その上面には前記樋支持具本体１の垂下片１１の凹部１０ｂに嵌合可能な複数の突起２９が突設されてなり、樋支持具本体１の下面側に配される。３０，３１はストッパー２７と連結体１４の頭部１６間に介装されたバネ座金等からなる弾性体と平座金を夫々示し、連結体１４が挿通されている。
　　【００１７】
　本実施形態は以上のような特定事項からなるが、レバー１８の連結体１４への取付けは、該連結体１４の長孔１７の基端部１７ａ側から支軸２５を挿入し、垂下部１７ｂを介してその先端部へとスライド移動させればよいため、組立作業が極めて簡易に行えると共に、垂下部１７ｂの存在により不用意に支軸２６が長孔１７内から離脱するようなこともなく、またその製作も大幅に簡略化することができる利点がある。
　　【００１８】
　そして、かかる樋支持具を使用する場合には、先ず図５のようにレバー１８の把持片２５を前方側に回動すると、レバー１８の傾斜面部２２と取付杆１２の上面とが対向し、その角部２２ａと取付杆１２とが嵌合するので、同図の如くそれ以上のレバー１８の回動は阻止される。従って、レバー１８の後方側への回動操作に支障を与えることもない。
　　【００１９】
　また、この状態ではストッパー２７と樋支持具本体１とは離反しており、樋支持具本体１を取付杆１２に対してスライドさせることが可能である。
　　【００２０】
　そして、樋支持具本体１を所望位置にスライドさせた後、この状態でレバー１８の把持片２５を把持して図１の如く後方側に回動すると、レバー１８は支軸２６を中心に回動することになるが、支軸２６が挿通されるレバー１８の挿通孔２１は偏心位置に穿設されてなるため、レバー１８のカム部２４のカム作用により連結体１４が引上げられて、ストッパー２７の各突起２９が樋支持具本体１の垂下片１１の凹部１０ｂに夫々嵌合されると共に、樋支持具本体１と取付杆１２とが圧接されることになる。
　　【００２１】
　而して、樋支持具本体１は取付杆１２との圧接のみならず、前記突起２９と凹部１０ｂとの嵌合により確実且つ強固に取付杆１２の所望位置に固定されるのである。
　　【００２２】
　しかも、かかる樋支持具本体１の固定時には取付杆１２の上面にレバー１８のカム部２４の平面部２３が当接するため、不用意にレバー１８が上向きに回動ずるようなこともなく、よって樋支持具本体１の固定状態は確実且つ強固に維持される。
　　【００２３】
　そして、かかる樋支持具は取付杆１２に設けた取付部材１２を介して建造物の鼻隠しや軒うら等に複数固定した後、図１の如く樋支持具間に樋３が架設状態に取付けられる。
　　【００２４】
　このように、簡易なレバー１８の回動操作により樋支持具本体１の固定が行えるので、高所での作業も安全且つ効率的に行えるのである。
　　【００２５】
　尚、上記実施形態に於いては、樋支持具本体１の垂下片１１に凹凸部１０を形成したが、例えば樋支持具本体１の下面に直接凹凸部１０を形
成す
　　【００２６】
　また、ストッパー２７の突起２９の数や形状は適宜変更が可能である。
　　【００２７】
　さらに、上記実施形態では、弾性体３０としてバネ座金を使用したが、その他コイルバネ等であってもよく、またかかる弾性体３０は省略することも可能である。
　　【００２８】
　その他、樋支持具本体１，取付杆１２，連結体１４及びレバー１８の形状等の具体的な特定事項も決して上記実施形態に限定されず、本発明の意図する範囲内に於いて任意に設計変更自在ある。
　　【００２９】
　【発明の効果】
　叙上のように、本発明はレバーの回動という極めて簡易な操作により、樋支持具本体を取付杆の所望位置に固定できるため、高所での一連の樋取付作業を効率的に且つ安全に行えるという格別の効果を得るに至った。
　　【００３０】
　しかも、樋吊具本体の固定時にはその凹部にストッパ
ーの
　　【００３１】
　さらに、本発明に係る樋支持具は全体の構成が非常に簡易であるため、その製作も容易に且つ安価に行えるという効果も奏する。
【図面の簡単な説明】
　　【図１】
　本発明に係る樋支持具の一実施形態を示し、（イ）は正面図、（ロ）は底面図。
　　【図２】
　連結体の一実施形態を示し、（イ）は正面図、（ロ）は側面図。
　　【図３】
　レバーの一実施形態を示し、（イ）は一部断面側面図、（ロ）は正面図、（ハ）は平面図。
　　【図４】
　ストッパーの一実施形態を示し、（イ）は平面図、（ロ）は側面図。
　　【図５】
　使用状態を示す正面図。
　　【図６】
　
従来例を示す樋支持具の正面図。
　　【符号の説明】
　１…樋支持具本体　９…長孔
　１０…凹凸部　　　１０ｂ…凹部
　１２…取付杆　　　１４…連結体
　１６…頭部　　　　１７…長孔
　１８…レバー　　　２４…カム部
　２７…ストッパー　２９…突起
　３０…弾性体　　　３２…突起
【図面】